(57)【要約】【課題】点字等の情報表示部を有するプレートを、段差のない状態で、既存の手摺に対して容易かつ強固に組み付けできるようにすること。【解決手段】点字等の情報表示部を有する手摺構成体１０と手摺本体１とを接続する手摺において、手摺構成体は、連結基部２１の一端に挿入部２３を有する一対のベース部材２０と、挿入部の外周面に拡開可能に配設される複数のフィットブロック３２を有する拡開部材３０と、挿入部を貫通するボルト４１と、拡開部材の先端に当接するナット４２とからなる締付部材４０と、ベース部材同士を連結する連結ねじ５０と、ベース部材の上面部を被覆する表面に点字等の情報表示部を有する表示プレート７０と、ベース部材の下面部を被覆し、固定ねじ９０を介して表示部プレートに固定される下面プレート８０とを具備する。【選択図】  図２
2008285965.tif 000002
【特許請求の範囲】
【請求項１】
点字等の情報表示部を有する手摺構成体と、この手摺構成体を接続する中空状の手摺本体とを具備する情報表示部を有する手摺において、
上記手摺構成体は、
連結基部の一端に連設され、先端に上記手摺本体の開口部内に挿入される挿入部を有する一対のベース部材と、
上記挿入部の外周面に拡開可能に配設される複数のフィットブロックを有する拡開部材と、
上記ベース部材の挿入部を貫通するボルトと、上記拡開部材の先端に当接し、上記ボルトと螺合するナットとからなる締付部材と、
上記ベース部材の連結基部同士を連結する連結部材と、
手摺の一部を構成すべく、上記ベース部材の上面部を被覆する略半筒状に形成され、表面に点字等の情報表示部を有する表示プレートと、
手摺の一部を構成すべく、上記ベース部材の下面部を被覆する略半筒状に形成され、固定部材を介して上記表示部プレートに固定される下面プレートと、
を具備することを特徴とする情報表示部を有する手摺。
【請求項２】
請求項１記載の情報表示部を有する手摺において、
互いに連結された上記ベース部材と上記手摺本体との間に形成される空間内に挿入される内挿部材を更に具備し、
上記ベース部材は、断面略半円筒状に形成される連結基部の一端に、円柱部を介して挿入部が形成され、上記内挿部材は、上記連結基部と共働して、上記円柱部と同じ外径の円形断面を形成すべく略半円柱状に形成されている、ことを特徴とする情報表示部を有する手摺。
【請求項３】
請求項１又は２記載の情報表示部を有する手摺において、
上記挿入部は先端に向かって狭小テーパ状に形成され、
上記拡開部材を構成する複数のフィットブロックは、上記挿入部のテーパ面に摺接される傾斜面を有すると共に、傾斜面をテーパ面に圧接する弾性力を付勢するばね部材によって拘束されている、ことを特徴とする情報表示部を有する手摺。
【請求項４】
請求項１又は２記載の情報表示部を有する手摺において、
上記ベース部材の挿入部は、ベース部材の外周に適宜間隔をおいて設けられた軸方向に沿う複数のガイド溝内に嵌挿される複数の楔状板部材によって構成され、
上記拡開部材を構成する複数のフィットブロックは、上記ガイド溝内に嵌挿され、かつ、上記楔状板部材のテーパ面に摺接される傾斜面を有すると共に、傾斜面をテーパ面に圧接する弾性力を付勢するばね部材によって拘束されている、ことを特徴とする情報表示部を有する手摺。
【請求項５】
請求項１ないし４のいずれかに記載の情報表示部を有する手摺において、
上記表示プレートの内面に雌ねじ部を設け、上記下面プレートの表面に、貫通孔を有する凹所を設け、貫通孔を介して上記雌ねじ部に螺合される固定部材の頭部を上記凹所内に収容してなる、ことを特徴とする情報表示部を有する手摺。
【請求項６】
点字等の情報表示部を有する手摺構成体と、この手摺構成体を接続する中空状の手摺本体とを具備する、情報表示部を有する手摺の取付方法であって、
上記手摺本体の２箇所を切断して、上記手摺構成体を取り付けるための空間を形成し、
上記手摺構成体を構成する一対のベース部材の先端部に連設される挿入部及びこの挿入部の外周面に拡開可能に配設される拡開部材を、上記手摺本体の開口部内に挿入し、
上記ベース部材の挿入部を貫通するボルトと、拡開部材の先端に当接するナットとからなる締付部材の締め付けによって上記拡開部材を拡開移動して、ベース部材を手摺本体に固定し、
上記手摺本体に固定された一対の上記ベース部材同士を連結部材によって連結し、
上記ベース部材の上面部を、表面に点字等の情報表示部を有する略半筒状の表示プレートによって被覆すると共に、上記ベース部材の下面部を、略半筒状の下面プレートによって被覆し、固定部材によって上記表示プレートと下面プレートを固定する、
ことを特徴とする情報表示部を有する手摺の取付方法。
【請求項７】
請求項６記載の情報表示部を有する手摺の取付方法において、
互いに連結された上記ベース部材と上記手摺本体との間に形成される空間内に、内挿部材を挿入して空間を塞ぎ、
上記ベース部材と内挿部材の上面部を、上記表示プレートによって被覆すると共に、上記ベース部材と内挿部材の下面部を、上記下面プレートによって被覆し、上記固定部材によって上記表示プレートと下面プレートを固定する、
ことを特徴とする情報表示部を有する手摺の取付方法。
【発明の詳細な説明】
【技術分野】
【０００１】
この発明は、例えば点字等の情報表示部を有する手摺及びその取付方法に関するものである。
【背景技術】
【０００２】
従来から、例えば駅等の公共施設においては、階段手摺等に点字等の情報表示部を設けて、視覚障害者に対する情報の提供を行っている。
【０００３】
しかし、従来のものは、手摺を摺って歩く動作に支障のないように薄肉の金属板やシール等に点字を刻印した情報表示プレートを手摺の表面にリベット等で取り付けるため、使用するうちに剥がれた状態や、金属板の端部が跳ね上がった状態となって、利用者が負傷する危険性の虞がある。また、長期間使用するうちに点字部が摩耗して、刻印された点字情報が十分に伝達されないという問題がある。そのため、損傷等を受けた古い情報表示プレートを新規の情報表示プレートと交換する必要がある。
【０００４】
また、表面に点字が形成された蓋体を被着した案内構成部を、ジョイント部材を介して手摺本体に組み込むか、あるいは、上記案内構成部の両端において手摺本体を内挿する状態で組み込む、案内用手摺が知られている（例えば、特許文献１参照）。
【特許文献１】特許第３６２１９０３号公報（特許請求の範囲、図１，図３，図８，図９）
【発明の開示】
【発明が解決しようとする課題】
【０００５】
しかしながら、従来の金属板やシール等に点字を刻印した情報表示プレートを手摺の表面に取り付けるものにおいては、リベット等を切断して古い情報表示プレートを取り外した後に、新規の情報表示プレートを取り付けるため、交換作業に手間を要する。しかも、交換後においても、上述したように、情報表示プレートの剥がれや跳ね上がり等の問題は解消されないという問題がある。
【０００６】
これに対して、特許文献１に記載の技術は、情報表示プレート自体を交換する必要はないが、案内構成部と手摺本体とのジョイント部に段差が生じ、また、案内構成部の開口部に、表面に点字が形成された蓋体（情報表示プレート）を被着するため、案内構成部と情報表示プレートとの間に段差が生じる。したがって、視覚障害者に対して安全性が十分でない。
【０００７】
また、特許文献１に記載の技術においては、情報表示プレートを被着した案内構成部を、ジョイント部材を介して手摺本体に組み込むか、あるいは、上記案内構成部の両端において手摺本体を内挿する状態で組み込んで手摺を構成するため、手摺本体と案内構成部との心出し等の位置合せに手間を要するばかりか、手摺本体と案内構成部の接合部に隙間が生じ、強固な固定が難しいという問題がある。
【０００８】
この発明は、上記事情に鑑みなされたもので、段差のない状態で、点字等の情報表示部を有するプレートを手摺に組み込むことができると共に、既存の手摺に対しても容易に、かつ、強固に組み付けできるようにした情報表示部を有する手摺及びその取付方法を提供することを目的とするものである。
【課題を解決するための手段】
【０００９】
上記目的を達成するために、請求項１記載の発明は、点字等の情報表示部を有する手摺構成体と、この手摺構成体を接続する中空状の手摺本体とを具備する情報表示部を有する手摺において、  上記手摺構成体は、  連結基部の一端に連設され、先端に上記手摺本体の開口部内に挿入される挿入部を有する一対のベース部材と、  上記挿入部の外周面に拡開可能に配設される複数のフィットブロックを有する拡開部材と、  上記ベース部材の挿入部を貫通するボルトと、上記拡開部材の先端に当接し、上記ボルトと螺合するナットとからなる締付部材と、  上記ベース部材の連結基部同士を連結する連結部材と、  手摺の一部を構成すべく、上記ベース部材の上面部を被覆する略半筒状に形成され、表面に点字等の情報表示部を有する表示プレートと、  手摺の一部を構成すべく、上記ベース部材の下面部を被覆する略半筒状に形成され、固定部材を介して上記表示部プレートに固定される下面プレートと、を具備することを特徴とする。
【００１０】
このように構成することにより、一対のベース部材は、手摺本体の開口部内に容易に位置決め（心出し）されて挿入固定され、連結されたベース部材と手摺本体に、手摺の一部を構成する表面に点字等の情報表示部を有する表示プレートと、下面プレートとを固定することができる。
【００１１】
請求項１記載の発明において、互いに連結された上記ベース部材と上記手摺本体との間に形成される空間内に挿入される内挿部材を更に具備し、上記ベース部材は、断面略半円筒状に形成される連結基部の一端に、円柱部を介して挿入部が形成され、上記内挿部材は、上記連結基部と共働して、上記円柱部と同じ外径の円形断面を形成すべく略半円柱状に形成される方が好ましい（請求項２）。
【００１２】
このように構成することにより、連結されたベース部材と手摺本体との間の空間を内挿部材で塞いだ状態で、上記表示プレートと下面プレートとを固定することができる。また、連結基部を断面略半円筒状に形成し、内挿部材を略半円柱状に形成することで、連結基部同士を連結して断面を円形状にすることができると共に、連結基部と内挿部材とが共働して、円柱部と同じ外径の円形断面を形成することができる。
【００１３】
また、請求項１記載の発明において、好ましくは、上記挿入部は先端に向かって狭小テーパ状に形成され、上記拡開部材を構成する複数のフィットブロックは、上記挿入部のテーパ面に摺接される傾斜面を有すると共に、傾斜面をテーパ面に圧接する弾性力を付勢するばね部材によって拘束される構成である方がよい（請求項３）。また、上記ベース部材の挿入部は、ベース部材の外周に適宜間隔をおいて設けられた軸方向に沿う複数のガイド溝内に嵌挿される複数の楔状板部材によって構成され、上記拡開部材を構成する複数のフィットブロックは、上記ガイド溝内に嵌挿され、かつ、上記楔状板部材のテーパ面に摺接される傾斜面を有すると共に、傾斜面をテーパ面に圧接する弾性力を付勢するばね部材によって拘束される構成である方がよい（請求項４）。
【００１４】
このように構成することにより、締付部材を構成するボルトが、ベース部材の挿入部を貫通して、拡開部材の先端に当接されるナットに螺合して締め付けることで、ばね部材の弾性力に抗してフィットブロックが挿入部のテーパ面の拡径側に移動して、手摺本体の内周面に圧接される。
【００１５】
また、上記表示プレートの内面に雌ねじ部を設け、上記下面プレートの表面に、貫通孔を有する凹所を設け、貫通孔を介して上記雌ねじ部に螺合される固定部材の頭部を上記凹所内に収容する方が好ましい（請求項５）。この場合、固定部材が悪戯によって容易に操作されないようにする方が好ましく、例えば固定部材の頭部に、中心部に突起を有する六角穴を設けて、この形状に合致する係合部を有する特殊な工具のみによって操作できるようにすることができる。
【００１６】
このように構成することにより、表示プレートと下面プレートを固定する固定部材の頭部を、下面プレートに設けられた凹所内に収容して、下面プレートの表面に突出部をなくすことができる。
【００１７】
また、請求項６記載の発明は、請求項１，３ないし５のいずれかに記載の情報表示部を有する手摺を取り付ける方法であって、  上記手摺本体の２箇所を切断して、上記手摺構成体を取り付けるための空間を形成し、  上記手摺構成体を構成する一対のベース部材の先端部に連設される挿入部及びこの挿入部の外周面に拡開可能に配設される拡開部材を、上記手摺本体の開口部内に挿入し、  上記ベース部材の挿入部を貫通するボルトと、拡開部材の先端に当接するナットとからなる締付部材の締め付けによって上記拡開部材を拡開移動して、ベース部材を手摺本体に固定し、  上記手摺本体に固定された一対の上記ベース部材同士を連結部材によって連結し、  上記ベース部材の上面部を、表面に点字等の情報表示部を有する略半筒状の表示プレートによって被覆すると共に、上記ベース部材の下面部を、略半筒状の下面プレートによって被覆し、固定部材によって上記表示プレートと下面プレートを固定する、ことを特徴とする。
【００１８】
このように構成することにより、ベース部材を、手摺本体の開口部内に容易に位置決め（心出し）して挿入した後、締付部材の締め付けにより拡開部材を拡開移動してベース部材を手摺本体に固定した状態で、手摺の一部を構成する表面に点字等の情報表示部を有する表示プレートと、下面プレートを固定部材によって固定して、手摺構成体と手摺本体を段差なく接続することができる。
【００１９】
また、請求項６記載の発明において、連結された上記ベース部材と上記手摺本体との間に形成された空間内に、内挿部材を挿入して空間を塞ぎ、上記ベース部材と内挿部材の上面部を、上記表示プレートによって被覆すると共に、上記ベース部材と内挿部材の下面部を、上記下面プレートによって被覆し、固定部材によって上記表示プレートと下面プレートを固定するようにしてもよい（請求項７）。
【００２０】
このように構成することにより、連結されたベース部材と手摺本体との間の空間を、内挿部材で塞いだ状態で、手摺の一部を構成する表面に点字等の情報表示部を有する表示プレートと、下面プレートを固定部材によって固定して、手摺構成体と手摺本体を段差なく接続することができる。
【発明の効果】
【００２１】
以上に詳述したように、この発明の情報表示部を有する手摺によれば、上記のように構成されているので、以下の効果が得られる。
【００２２】
（１）請求項１，６記載の発明によれば、表面に点字等の情報表示部を有する手摺構成体のベース部材を、手摺本体の開口部内に容易に位置決め（心出し）して挿入した後、締付部材の締め付けにより拡開部材を拡開移動してベース部材を手摺本体に固定した状態で、手摺の一部を構成する表面に点字等の情報表示部を有する表示プレートと、下面プレートを固定するので、表面に点字等の情報表示部を有する手摺構成体と手摺本体を段差のない状態で組み付けることができると共に、既存の手摺に対しても、点字等の情報表示部を有する手摺構成体を容易に、かつ、強固に手摺本体に取り付けることができる。
【００２３】
（２）請求項２，７記載の発明によれば、連結されたベース部材と手摺本体との間の空間を内挿部材で塞いだ状態で、上記表示プレートと下面プレートとを固定することができるので、上記（１）に加えて更に手摺構成体の強度を強固にすることができる。
【００２４】
（３）請求項３，４記載の発明によれば、締付部材を構成するボルトが、ベース部材の挿入部を貫通して、拡開部材の先端に当接されるナットに螺合して締め付けることで、ばね部材の弾性力に抗してフィットブロックが挿入部のテーパ面の拡径側に移動して、手摺本体の内周面に圧接されるので、上記（１），（２）に加えて、更にベース部材と手摺本体との固定を容易かつ強固にすることができる。
【００２５】
（４）請求項５記載の発明によれば、表示プレートと下面プレートを固定する固定部材の頭部を、下面プレートに設けられた凹所内に収容して、下面プレートの表面に突出部をなくすことができるので、上記（１）〜（３）に加えて、更に利用者に対する安全性を高めることができる。
【発明を実施するための最良の形態】
【００２６】
以下に、この発明の最良の実施形態について、添付図面に基づいて詳細に説明する。
【００２７】
図１は、この発明に係る情報表示部を有する手摺の要部を示す斜視図、図２は、上記手摺の断面図、図３は、図２の要部拡大断面図（ａ）、（ａ）のＩ−Ｉ線に沿う断面図（ｂ）、（ａ）のII−II線に沿う断面図（ｃ）及び（ａ）のIII−III線に沿う断面図（ｄ）である。
【００２８】
この発明に係る情報表示部を有する手摺は、例えば駅等の公共施設の階段や通路等に設置される手摺本体１の一部に、点字等の情報表示部１１を有する手摺構成体１０を組み込んで、視覚障害者に対する情報の提供を行えるようにした手摺である。
【００２９】
この場合、手摺本体１は、例えばステンレス製のパイプにて形成されており、図示しないブラケットによって壁面に固定されている。
【００３０】
上記手摺構成体１０は、図２ないし図８に示すように、手摺本体１の開口部２内に一端が挿入され、拡開部材３０及び締付部材４０によって固定される一対のベース部材２０と、連結部材例えば連結ねじ５０によって互いに連結されたベース部材２０と手摺本体１との間に形成された空間６１を塞ぐ内挿部材６０と、ベース部材２０と内挿部材６０の上面部を被覆する点字等の情報表示部１１を有する表示プレート７０と、ベース部材２０と内挿部材６０の下面部を被覆する下面プレート８０とで主に構成されている。
【００３１】
上記ベース部材２０は、例えばアルミニウム合金製鋳物にて形成されており、断面略半円筒状に形成される連結基部２１の一端に、手摺本体１の内径と同じ外径の円柱部２２を介して先端に向かって狭小テーパ状をなす略截頭円錐状の挿入部２３が形成され、円柱部２２及び挿入部２３には連結基部２１の中心部の内方円弧溝２１ａに連通する貫通孔２４が中心軸線上に設けられている。なお、挿入部２３の基端側の大径部には平行外周面２６が形成されている。この平行外周面２６には、手摺構成体１０と手摺本体１との隙間を塞ぐために、ドーナツ板状のスペーサ２７が嵌装されるようになっている（図２，図３参照）。
【００３２】
また、両ベース部材２０の連結基部２１における端部から内方側の部位には、連結部材である連結ねじ５０が貫通する取付孔２８ａが穿設され、挿入部２３と反対側の端部付近の部位には、連結ねじ５０が螺合するねじ孔２８ｂが刻設されている。
【００３３】
なお、ベース部材２０の円柱部２２には、上記取付孔２８ａ及びねじ孔２８ｂと直交する方向の貫通孔２５Ａが穿設されている。また、ベース部材２０の連結基部２１には、貫通孔２５Ａと平行であって、両連結基部２１が連結された際に貫通孔２５Ａと同径の孔２５Ｂを形成する半円溝２５ａが形成されている。これら貫通孔２５Ａと半円溝２５ａによって形成される孔２５Ｂは、後述する固定部材である固定ねじ９０を案内するために設けられたものである。
【００３４】
上記拡開部材３０は、挿入部２３のテーパ面２３ａに回転不能に摺接される傾斜面３１を有する複数例えば４個のフィットブロック３２と、各フィットブロック３２の傾斜面３１をテーパ面２３ａに圧接する弾性力を付勢して拘束するばね部材例えば環状ばね３３と、を具備している。この場合、各フィットブロック３２の外周の中間部には、互いに周方向に連通する係止溝３４が設けられており、各フィットブロック３２の係止溝３４に環状ばね３３が嵌挿されて、４個のフィットブロック３２が拘束されている。このように構成される拡開部材３０は、締付部材４０の締付作用によって、各フィットブロック３２が環状ばね３３の弾性力に抗して拡開移動して手摺本体１の開口部２内に固定される。
【００３５】
上記締付部材４０は、ベース部材２０に設けられた貫通孔２４を貫通する締付ボルト４１と、拡開部材３０の先端に当接する鍔４３を有する鍔付きナット４２とで構成されている。なお、締付ボルト４１の頭部頂面には六角穴４４が設けられている。図６に示すように、締付ボルト４１の頭部に設けられた六角穴４４に係合する六角レンチ４５をもって締付ボルト４１を鍔付きナット４２に螺合することによって、各フィットブロック３２が環状ばね３３の弾性力に抗して挿入部２３のテーパ面２３ａの拡径側に沿って拡開移動して、各フィットブロック３２の外周面が手摺本体１の開口部２の内周面に圧接される。この拡開作用によってベース部材２０の挿入部２３が手摺本体１の開口部２内に固定される。
【００３６】
上記のようにして固定された一対のベース部材２０の連結基部２１は、上記取付孔２８ａとねじ孔２８ｂが合致された状態で、図７に示すように、取付孔２８ａを貫通する連結ねじ５０をねじ孔２８ｂに螺合することによって連結固定される。
【００３７】
上記のようにして、互いに連結されたベース部材２０と手摺本体１との間に形成される空間６１内に内挿部材６０が挿入されて、空間６１が塞がれる。この場合、内挿部材６０は、図３（ｃ）及び図８に示すように、略半円柱状の基部６２の平坦面６２ａに、断面略半円筒状に形成される連結基部２１の内方円弧溝２１ａ内に嵌合する円弧凸条６３が突設されている。このように形成される内挿部材６０の円弧凸条６３をベース部材２０の内方円弧溝２１ａ内に嵌合することで、ベース部材２０に対する内挿部材６０の位置決めを容易にすることができると共に、連結基部２１と内挿部材６０とが共働して中実円形断面が形成される。これにより、この中実円形断面の外周面に被着される表示プレート７０と下面プレート８０の補強を図っている（図３（ｄ）参照）。なお、この場合、連結基部２１と内挿部材６０とが共働して形成する中実円形断面の外径は、円柱部２２と同じ外径であって、手摺本体１の外径より表示プレート７０及び下面プレート８０の厚み分、小径に形成されている。このように形成するすることにより、中実円形断面の外周面に表示プレート７０及び下面プレート８０が被着された状態で、手摺本体１と手摺構成体１０の外径が同一になる。
【００３８】
上記ベース部材２０と内挿部材６０の上面部を被覆する表示プレート７０は、手摺の一部を構成すべく手摺本体１と同一の曲率を有する略半筒状に形成されている。この表示プレート７０の表面には、点字等の情報表示部１１が施されている。また、表示プレート７０の下面における両端部及び中間部の３箇所には雌ねじ部であるナット７１が溶接等の固定手段によって固着されている。
【００３９】
一方、ベース部材２０と内挿部材６０の下面部を被覆する下面プレート８０は、手摺の一部を構成すべく手摺本体１と同一の曲率を有する略半筒状に形成されている。この下面プレート８０の表面には、底部に貫通孔８１を有する拡開テーパ状の凹所８２が設けられている。
【００４０】
上記のように構成される表示プレート７０と下面プレート８０は、ベース部材２０と内挿部材６０の上下面部を被覆した状態で、下面プレート８０の貫通孔８１及びベース部材２０の連結基部２１に設けられた貫通孔２５Ａ，孔２５Ｂを貫通し、ナット７１に螺合される固定部材である固定ねじ９０によって固定されている。
【００４１】
この場合、固定ねじ９０は皿ねじによって形成されており、截頭円錐状の頭部９１は下面プレート８０に設けられた凹所８２内に収容されて、外部に突出しないようになっている。また、固定ねじ９０が悪戯によって容易に操作されないようにする方が好ましい。例えば、図１０に示すように、固定ねじ９０の頭部９１に、中心部に突起９２を有する六角穴９３を設ける一方、固定ねじ９０の頭部９１の形状に合致する係合穴１０１を有する特殊な六角レンチ１００等の工具のみによって、固定ねじ９０を操作できるようにする方がよい。
【００４２】
上記のように構成されるこの発明に係る情報表示部を有する手摺によれば、点字等の情報表示部１１を有する表示プレート７０と下面プレート８０を、手摺本体１との間に段差がない状態で取り付けることができるので、利用者が手摺を摺って歩行する動作に支障をきたすのを防止することができる。
【００４３】
次に、既存の手摺本体１に手摺構成体１０を取り付ける手順の一例について、図４ないし図９を参照して説明する。
【００４４】
まず、既存の手摺本体１の所定位置の２箇所を切断して、手摺構成体１０を取り付けるための取付空間３を形成する（図４参照）。
【００４５】
次に、一方のベース部材２０の挿入部２３の外面に、スペーサ２７と、環状ばね３３によって拘束された複数のフィットブロック３２を嵌装する。次に、フィットブロック３２の先端に鍔付きナット４２を当接した状態で、挿入部２３を貫通する締付ボルト４１を鍔付きナット４２に緩く螺合する。これにより、挿入部２３の外周面にフィットブロック３２が仮固定される。この状態では、フィットブロック３２は、挿入部２３のテーパ面２３ａに回転不能に摺接される。
【００４６】
次に、挿入部２３とフィットブロック３２を、手摺本体１の開口部２内に挿入した状態で、六角レンチ４５を用いて、鍔付きナット４２に螺合されている締付ボルト４１を締め付けると、各フィットブロック３２が環状ばね３３の弾性力に抗して挿入部２３のテーパ面２３ａの拡径側に沿って拡開移動して、各フィットブロック３２の外周面が手摺本体１の開口部２の内周面に圧接される。この拡開作用によってベース部材２０の挿入部２３を手摺本体１の開口部２内に固定する。同様の操作を行って、両ベース部材２０を手摺本体１に固定する（図５及び図６参照）。このように、締付ボルト４１を締め付けることによって、フィットブロック３２が挿入部２３のテーパ面２３ａに沿って拡開移動するので、ベース部材２０の手摺本体１に対する心出しが容易であり、しかも、手摺本体１に対してベース部材２０を強固に固定することができる。
【００４７】
次に、手摺本体１に固定された一対のベース部材２０の連結基部２１の平坦面側同士を当接すると共に、取付孔２８ａとねじ孔２８ｂとを合致した状態で、取付孔２８ａを貫通する連結ねじ５０をねじ孔２８ｂに螺合してベース部材２０同士を連結固定する（図７参照）。この際、ベース部材２０の円柱部２２と手摺本体１の間に隙間が生じる場合は、隙間に応じて厚さの異なるスペーサ２７を用いて隙間を塞ぐようにすればよい。そのために、厚さの異なる数種類のスペーサ２７を用意しておく必要がある。
【００４８】
次に、連結されたベース部材２０と手摺本体１との間に形成された空間６１内に、内挿部材６０を挿入して空間６１を塞ぐ（図８参照）。このとき、内挿部材６０の円弧凸条６３をベース部材２０の内方円弧溝２１ａ内に嵌合することで、ベース部材２０に対する内挿部材６０の位置決めが容易となり、また、連結基部２１と内挿部材６０とが共働して中実円形断面が形成される（図３（ｄ）参照）。
【００４９】
内挿部材６０によって空間６１を塞いだ後、ベース部材２０と内挿部材６０の上面部を、表示プレート７０によって被覆すると共に、ベース部材２０と内挿部材６０の下面部を、下面プレート８０によって被覆する。そして、下方から固定ねじ９０を、下面プレート８０の貫通孔８１及びベース部材２０の連結基部２１に設けられた貫通孔２５Ａ，孔２５Ｂに貫通し、特殊な六角レンチ１００を用いて、固定ねじ９０をナット７１に螺合して、表示プレート７０と下面プレート８０をベース部材２０と内挿部材６０に固定する（図９参照）。
【００５０】
なお、点字等の情報表示部１１が摩耗等によって交換が必要となった場合は、上記と逆の操作によって固定ねじ９０とナット７１との螺合を解除して、古い表示プレート７０を取り外した後、新規の表示プレート７０を同様な操作によって固定すればよい。なお、下面プレート８０に損傷が生じた場合は、必要に応じて表示プレート７０と下面プレート８０を交換してもよい。
【００５１】
なお、上記実施形態では、ベース部材２０に連設される略截頭円錐状の挿入部２３のテーパ面２３ａに、拡開部材３０を構成するフィットブロック３２を摺接させる構造について説明したが、この発明は、この構造に限定されるものではない。
【００５２】
例えば、図１１ないし図１４に示すように、ベース部材２００の連結基部２１０の一端に連設される挿入部２３０を、ベース部材２００の外周に適宜間隔をおいて設けられた軸方向に沿う複数（図面では６個）のガイド溝２０１内に嵌挿される複数（６個）の楔状板部材２３１によって構成してもよい。これに対応させて、拡開部材３００を構成する複数のフィットブロック３２０を、ガイド溝２０１内に嵌挿され、かつ、楔状板部材２３１のテーパ面２３２に摺接される傾斜面３１０を有すると共に、傾斜面３１０をテーパ面２３２に圧接する弾性力を付勢するばね部材例えば環状ばね３３０によって拘束する構成とする。
【００５３】
この第２実施形態において、楔状板部材２３１は、先端部にベース部材２００の先端面に当接する係止片２３３がテーパ面２３２と反対側の平坦下面２３４側に突設されている。
【００５４】
また、フィットブロック３２０は、楔状板部材２３１に摺接しない端部における傾斜面３１０と反対側の平坦上面３２２に、環状ばね３３０を嵌挿する係止溝３４０が設けられ、かつ、先端部には段部３２３を介して、上記鍔付きナット４２の鍔部４３が当接可能な当接片３２４が突設されている。
【００５５】
なお、この実施形態では、半円筒状の連結基部２１０の一端部に半円筒状の円柱部半体２２１が連結ねじ２２２によって連結されて、円柱部２２０と挿入部２３０の一部が形成され、かつ、貫通孔２４０が形成されている。
【００５６】
この場合、連結基部２１０と円柱部半体２２１は、それぞれアルミニウム合金製の押出形材によって形成されている。また、連結基部２１０と円柱部半体２２１の外周面には、上記ガイド溝２０１がそれぞれ３個設けられている。なお、円柱部半体２２１の平坦面には、連結基部２１０の内方円弧溝２１１内に摺動可能に嵌合する円弧溝付き凸条２２３が設けられている。また、連結基部２１０と円柱部半体２２１の対向する平坦面には、互いに嵌合する断面略Ｌ字状の嵌合凹条２０２と嵌合凸条２０３が左右非対称に設けられている。これら嵌合凹条２０２と嵌合凸条２０３を嵌合するには、連結基部２１０と円柱部半体２２１とを当接して、嵌合凹条２０２内に嵌合凸条２０３を挿入した後、連結基部２１０と円柱部半体２２１とを相対的に平行移動して、嵌合凹条２０２と嵌合凸条２０３を嵌合する。
【００５７】
また、この実施形態においては、内挿部材６００も連結基部２１０と同じ断面形状を有するアルミニウム合金製押出形材によって形成されている。すなわち、内挿部材６００は、連結基部２１０を所定の寸法に切断して形成されており、平坦面に内方円弧溝２１１が設けられると共に、内方円弧溝２１１の両側に嵌合凹条２０２と嵌合凸条２０３が設けられている。したがって、内挿部材６００は、連結基部２１０に当接して、嵌合凹条２０２内に嵌合凸条２０３を挿入した後、連結基部２１０と内挿部材６００とを相対的に平行移動して、嵌合凹条２０２と嵌合凸条２０３を嵌合する。なお、嵌合凹条２０２と嵌合凸条２０３に代えて、第１実施形態と同様に、内挿部材６００の平坦面に、連結基部２１０の内方円弧溝２１１に嵌合する円弧凸条を設けてもよい。
【００５８】
この実施形態の取付手順は、ベース部材２００における挿入部２３０の楔状板部材２３１のテーパ面２３２に、フィットブロック３２０の傾斜面３１０を回転不能に摺接すると共に、環状ばね３３０の弾性力の付勢によって拘束した状態にして拡開部材３００をセットする。そして、フィットブロック３２０に設けられた当接片３２４に鍔付きナット４２の鍔部４３を当接する一方、貫通孔２４０を貫通する締付ボルト４１を鍔付きナット４２に緩く嵌合してフィットブロック３２０を仮固定する。
【００５９】
次に、挿入部２３０とフィットブロック３２０を、手摺本体１の開口部２内に挿入した状態で、六角レンチ４５を用いて、鍔付きナット４２に螺合されている締付ボルト４１を締め付けると、各フィットブロック３２０が環状ばね３３０の弾性力に抗して挿入部２３０のテーパ面２３２の拡径側に沿って拡開移動して、各フィットブロック３２０の外周面が手摺本体１の開口部２の内周面に圧接される。この拡開作用によってベース部材２００の挿入部２３０を手摺本体１の開口部２内に固定することができる。同様の操作を行って、両ベース部材２００を手摺本体１に固定した後、手摺本体１に固定された一対のベース部材２００の連結基部２１０の平坦面側同士を当接すると共に、取付孔２８ａとねじ孔２８ｂとを合致した状態で、取付孔２８ａを貫通する連結ねじ５０をねじ孔２８ｂに螺合してベース部材２０同士を連結固定する。この際、ベース部材２００の円柱部２２０と手摺本体１の間に隙間が生じる場合は、隙間に応じて厚さの異なるスペーサ２７を用いて隙間を塞ぐようにすればよい。
【００６０】
以下、第１実施形態と同様に、連結されたベース部材２００と手摺本体１との間に形成された空間６１内に、内挿部材６０を挿入して空間６１を塞ぐ。このとき、内挿部材６００を連結基部２１０に当接して、嵌合凹条２０２内に嵌合凸条２０３を挿入した後、連結基部２１０と内挿部材６００とを相対的に平行移動して、嵌合凹条２０２と嵌合凸条２０３を嵌合する。これにより、ベース部材２００に対する内挿部材６００の位置決めが容易となり、また、連結基部２１０と内挿部材６００とが共働して中実円形断面が形成される。
【００６１】
内挿部材６００によって空間６１を塞いだ後、第１実施形態と同様に、ベース部材２００と内挿部材６００の上面部を、表示プレート７０によって被覆すると共に、ベース部材２００と内挿部材６００の下面部を、下面プレート８０によって被覆する。そして、下方から固定ねじ９０を、下面プレート８０の貫通孔８１及びベース部材２０の連結基部２１に設けられた貫通孔２５Ａ，孔２５Ｂに貫通し、特殊な六角レンチ（図示せず）を用いて、固定ねじ９０をナット７１に螺合して、表示プレート７０と下面プレート８０をベース部材２０と内挿部材６０に固定する。
【００６２】
なお、第２実施形態において、その他の部分は第１実施形態と同じであるので、同一部分には同一符号を付して、説明は省略する。
【００６３】
なお、上記実施形態では、互いに連結されたベース部材２０，２００と手摺本体１との間に形成された空間６１内に内挿部材６０，６００を挿入して、空間６１を塞いだ状態で、表示プレート７０と下面プレート８０を固定する場合について説明したが、ベース部材２０，２００を、例えば肉厚にして強度をもたせた場合には、内挿部材６０，６００を用いずに表示プレート７０と下面プレート８０を固定することも可能である。
【図面の簡単な説明】
【００６４】
【図１】この発明に係る情報表示部を有する手摺の第１実施形態の取付状態を示す斜視図である。
【図２】上記手摺の断面図である。
【図３】上記手摺の要部を示す断面図（ａ）、（ａ）のＩ−Ｉ線に沿う断面図（ｂ）、（ａ）のII−II線に沿う断面図（ｃ）及び（ａ）のIII−III線に沿う断面図（ｄ）である。
【図４】この発明におけるベース部材の一方を取り付ける状態を示す分解斜視図である。
【図５】上記ベース部材の他方を取り付ける状態を示す分解斜視図である。
【図６】上記ベース部材を手摺本体に固定する状態を示す斜視図である。
【図７】上記ベース部材同士を連結する状態を示す斜視図である。
【図８】この発明における内挿部材を取り付ける状態を示す分解斜視図である。
【図９】この発明における表示プレートと下面プレートを取り付ける状態を示す分解斜視図である。
【図１０】この発明における固定ねじと固定ねじ操作用の特殊六角レンチを示す斜視図である。
【図１１】この発明に係る情報表示部を有する手摺の第２実施形態の取付状態を示す断面図である。
【図１２】第２実施形態におけるベース部材の一方を取り付ける状態を示す拡大断面図である。
【図１３】第２実施形態の分解斜視図である。
【図１４】第２実施形態におけるベース部材、挿入部及び拡開部材を示す分解斜視図である。
【符号の説明】
【００６５】
１  手摺本体
２  開口部
３  取付空間
１０  手摺構成体
１１  情報表示部
２０  ベース部材
２１  連結基部
２１ａ  内方円弧溝
２２  円柱部
２３  挿入部
２３ａ  テーパ面
２４  貫通孔
３０  拡開部材
３１  傾斜面
３２  フィットブロック
３３  環状ばね（ばね部材）
４０  締付部材
４１  締付ボルト
４２  鍔付きナット
５０  連結ねじ（連結部材）
６０  内挿部材
６１  空間
６２  基部
６２ａ  平坦面
６３  円弧凸条
７０  表示プレート
７１  ナット
８０  下面プレート
８１  貫通孔
８２  凹所
９０  固定ねじ
９１  頭部 
２００  ベース部材
２０１  ガイド溝
２０２  嵌合凹条
２０３  嵌合凸条
２１０  連結基部
２１１  内方円弧溝
２２０  円柱部
２３０  挿入部
２３１  楔状板部材
２３２  テーパ面
２３３  係止片
２３４  平坦下面
２４０  貫通孔
３００  拡開部材
３１０  傾斜面
３２０  フィットブロック
３２２  平坦上面
３２３  段部
３２４  当接片
３３０  環状ばね
３４０  係止溝
６００  内挿部材
【図１】
2008285965.tif 000003
【図２】
2008285965.tif 000004
【図３】
2008285965.tif 000005
【図４】
2008285965.tif 000006
【図５】
2008285965.tif 000007
【図６】
2008285965.tif 000008
【図７】
2008285965.tif 000009
【図８】
2008285965.tif 000010
【図９】
2008285965.tif 000011
【図１０】
2008285965.tif 000012
【図１１】
2008285965.tif 000013
【図１２】
2008285965.tif 000014
【図１３】
2008285965.tif 000015
【図１４】
2008285965.tif 000016